(57)【要約】      （修正有）【課題】ユーザのアプリケーションの利用態様に応じた柔軟な料金設定とすることで、アプリケーションの普及利用を促進し、ユーザの利便性の向上、アプリ提供者の開発意欲の向上、及びシステム運営者による魅力的なシステム運営を図ることが可能な医療情報システムを提供する。【解決手段】ユーザが使用するクライアント端末１と、ユーザが検査レポートを作成する際に利用するアプリケーションを備えるアプリケーションサーバ３と、既に作成されている検査レポートを参照レポートとして提示し、参照レポートにて利用されているアプリケーションを利用して処理された医療画像についての検査レポートの作成を行った場合に、ユーザによるアプリケーションの利用料金の中から参照レポートの作成者と参照レポートで利用されたアプリケーションを提供するアプリ提供者とに支払う金額を算出するテナント型医療情報システム２とを備える。【選択図】図１
2015114711.tif 000002
【特許請求の範囲】
【請求項１】
ユーザが使用するクライアント端末と、
前記ユーザが医療画像診断装置によって取得された患者の内部情報を示す医療画像を基に検査レポートを作成する際に利用する前記医療画像の処理を行うアプリケーションを備えるアプリケーションサーバと、
前記ユーザの前記検査レポート作成に当たって、既に作成されている検査レポートを参照レポートとして提示し、前記参照レポートにて利用されているアプリケーションの利用を前記ユーザが選択した場合に前記アプリケーションを利用して処理された前記医療画像についての検査レポートの作成を行うとともに、前記ユーザが前記アプリケーションを利用する際に支払う料金の中から前記参照レポートの作成者と前記参照レポートで利用されたアプリケーションを提供するアプリ提供者とに支払う金額を算出するテナント型医療情報システムと、
を備えることを特徴とする医療情報システム。
【請求項２】
前記テナント型医療情報システムは、
前記ユーザが作成した検査レポートの記憶するレポートデータベースと、
前記ユーザの指示に基づいて検査レポートを作成するレポート作成部と、
前記ユーザが前記検査レポートの作成に当たって利用したアプリケーションに関する料金を業務利用である場合にその利用に応じて算出するとともに、前記ユーザが前記アプリケーションを利用する際に支払う料金の中から前記参照レポートの作成者と前記参照レポートで利用されたアプリケーションを提供するアプリ提供者とに支払う金額を算出する課金エンジンと、
前記料金の算出の基となる情報を記憶する課金データベースと、
前記ユーザが前記検査レポートを作成する際に参照する参照レポートを前記レポートデータベース内から検索し表示させるとともに、前記アプリケーションによって生成される医療画像を前記検査レポートに統合して前記クライアント端末に表示させる統合ビューアと、
を備えることを特徴とする請求項１に記載の医療情報システム。
【請求項３】
前記統合ビューアは、
前記ユーザが前記検査レポートを作成する際に参照する前記参照レポートを前記レポートデータベースから検索する検索部と、
前記ユーザによる前記参照レポートの参照の態様に応じて前記検査レポートの作成に関連しての業務上の利用であるか否かを判定する業務利用判定部と、
前記ユーザによって選択された前記アプリケーションによって生成される前記医療画像を前記レポート作成部において作成される前記検査レポートに統合する情報統合部と、
前記ユーザが参照した前記参照レポートについて作成される前記検査レポートとの関係を示す参照ツリーを生成する参照ツリー生成部と、
を備えることを特徴とする請求項２に記載の医療情報システム。
【請求項４】
前記統合ビューアは、前記ユーザが前記検査レポートの作成に当たって利用する前記アプリケーションを、前記アプリケーションが提供されるアプリケーションサーバよりインストールするインストールボタン生成部を備えることを特徴とする請求項２または請求項３に記載の医療情報システム。
【請求項５】
前記統合ビューアは、前記ユーザが作成した前記検査レポートを前記レポートデータベースに登録するレポート登録部を備えることを特徴とする請求項２ないし請求項４のいずれかに記載の医療情報システム。
【請求項６】
前記レポート登録部に登録された前記検査レポートには、前記検査レポートを作成するに当たって利用された前記アプリケーションをダウンロードすることが可能なリンクが貼付されていることを特徴とする請求項５に記載の医療情報システム。
【請求項７】
前記ユーザが作成した前記検査レポートを構文解析し、使用されている語句を前記レポートデータベースに登録するレポート構文解析部を備えることを特徴とする請求項２ないし請求項６のいずれかに記載の医療情報システム。
【請求項８】
前記テナント型医療情報システムは、前記ユーザが前記検査レポートを作成する際に利用する前記医療画像の生成をシンクライアントマネージャを介して前記アプリケーションを提供する前記アプリケーションサーバを制御することで前記医療画像の生成を行わせることを特徴とする請求項２に記載の医療情報システム。
【請求項９】
前記課金エンジンは、前記ユーザによる前記アプリケーションの利用に基づく課金の額を、前記アプリケーションを利用して生成された前記医療画像の閲覧時間を基に算出することを特徴とする請求項２に記載の医療情報システム。
【請求項１０】
前記課金エンジンは、前記ユーザによる前記アプリケーションの利用に基づく課金の額を、前記ユーザによる前記アプリケーションの利用態様を基に算出することを特徴とする請求項２に記載の医療情報システム。
【発明の詳細な説明】
【技術分野】
【０００１】
本発明の実施の形態は、医療情報システムに関する。
【背景技術】
【０００２】
近年、技術の進展に伴って、医療機関内にも各種電子機器を利用した医療画像診断装置やシステムが導入されている。医療画像診断装置は、被検体内部の情報を収集し、この収集された情報に基づいて被検体内部を画像化して医療画像を生成する装置であり、例えば、Ｘ線ＣＴ装置（computed tomography：コンピュータ断層撮影装置）や、磁気共鳴診断装置（ＭＲＩ：magnetic resonance imaging）等が該当する。
【０００３】
これら医療画像診断装置の技術開発が進み各医療機関への導入が進むと、医療画像診断装置によって収集される医療画像の量も膨大な量となる。その分読影についての手間、時間が掛かるが、例えば、読影ＡＳＰ（アプリケーション・サービス・プロバイダ）を利用する読影システムについての提案がなされている（特許文献１参照）。
【０００４】
また、医療機関内には、例えば、医療画像管理システム（ＰＡＣＳ：Picture Archiving Communication System）等のシステムが構築されることも多い。そして、実際にこれらのシステムを効率的に運用し、診断等に役立てていくには、例えば、その他医療情報を生成するアプリケーションも導入する必要がある。
【０００５】
これらアプリケーションに関しては開発する会社それぞれに得意な分野、対象があり、例えば、Ｘ線画像の解析に強いアプリケーションやＸ線ＣＴ装置で得られたボリュームデータから３Ｄ画像を生成するに適したアプリケーション等々、様々なアプリケーションが存在する。
【０００６】
但し、これらアプリケーションについては利用されることが前提であることから、普及促進を如何に図るかが課題となる（特許文献２参照）。
【先行技術文献】
【特許文献】
【０００７】
【特許文献１】特開２０１１−５４１９４号公報
【特許文献２】特開２００８−８０１５１号公報
【発明の概要】
【発明が解決しようとする課題】
【０００８】
しかしながら、上記特許文献１において開示されている発明では、従来よりも読影システムの運営面での一層の効率化及び省力化が図られているものの、結局は遠隔で読影されることを前提とした読影システムであることから、条件が整えば診察を行う医師や読影対象となる医療画像が取得された医療機関内にいる読影医が直接読影を行うことによる利便性や速報性には適わない。
【０００９】
また、医師や読影医が直接読影を行うに当たってはそれぞれ適したアプリケーションの利用が必要であるが、利用者が当該アプリケーションの存在を知らなければ利用することはできず、当該アプリケーションを利用する者への普及促進が必要である。但し、上記特許文献２においてはＭＲＩシステムに特化した内容となっており、一般的なシステムに適用したものではない。
【００１０】
さらに、従来のアプリケーションは、医療画像診断装置特有の機能を備えていることが多く、パッケージ販売や配信型販売で流通させることが困難であることから、例えば、ハードウェア（医療画像診断装置）に組み込まれた状態で販売されることも多く行われている。
【００１１】
またアプリケーションの多くは基本的に購入しなければ利用することはできないため、例えば一部機能のみを利用したい場合等にはその購入をためらってしまう。新たなアプリケーションの使い勝手等については、販売当初は利用実績が少ないこともあって不明であることも多く、ユーザは当該アプリケーションの利用を躊躇することにもなる。
【００１２】
従って、この状態では、あえて新たなアプリケーションを購入使用する利用者のモチベーションが高まらないことにもなり、新規アプリケーションの普及促進という観点からは何らかの仕組みを構築する必要がある。
【００１３】
本発明は上記課題を解決するためになされたものであり、本発明の目的は、ユーザのアプリケーションの利用態様に応じた柔軟な料金設定とすることで、アプリケーションの普及利用を促進し、ユーザの利便性の向上、アプリ提供者の開発意欲の向上、及びシステム運営者による魅力的なシステム運営を図ることが可能な医療情報システムを提供することにある。
【課題を解決するための手段】
【００１４】
請求項１に記載の発明の特徴は、医療情報システムにおいて、ユーザが使用するクライアント端末と、ユーザが医療画像診断装置によって取得された患者の内部情報を示す医療画像を基に検査レポートを作成する際に利用する医療画像の処理を行うアプリケーションを備えるアプリケーションサーバと、ユーザの検査レポート作成に当たって、既に作成されている検査レポートを参照レポートとして提示し、参照レポートにて利用されているアプリケーションを利用して処理された医療画像についての検査レポートの作成を行うとともに、ユーザがアプリケーションを利用する際に支払う料金の中から参照レポートの作成者と参照レポートで利用されたアプリケーションを提供するアプリ提供者とに支払う金額を算出するテナント型医療情報システムとを備える。
【図面の簡単な説明】
【００１５】
【図１】本発明の実施の形態における医療情報システムの全体構成を示すブロック図である。
【図２】本発明の実施の形態におけるテナント型医療情報システムの内部構成を示すブロック図である。
【図３】本発明の実施の形態におけるアプリサーバの内部構成を示すブロック図である。
【図４】本発明の実施の形態における統合ビューアの内部構成を示すブロック図である。
【図５】本発明の実施の形態における課金エンジンの内部構成を示すブロック図である。
【図６】本発明の実施の形態における検査レポートの作成の流れを示すフローチャートである。
【図７】本発明の実施の形態におけるレポートデータベース内に格納されるテーブルの一例を示す説明図である。
【図８】本発明の実施の形態におけるレポートデータベース内に格納されるテーブルの一例を示す説明図である。
【図９】本発明の実施の形態におけるレポートデータベース内に格納されるテーブルの一例を示す説明図である。
【図１０】本発明の実施の形態における課金方法を説明するためのグラフである。
【図１１】本発明の実施の形態における課金データベース内に格納されるテーブルの一例を示す説明図である。
【図１２】本発明の実施の形態における課金データベース内に格納される参照レポートとして参照された検査レポートを作成したユーザに支払われるレポート貢献費に関するテーブルの一例を示す説明図である。
【図１３】本発明の実施の形態における検査レポートの登録の流れを示すフローチャートである。
【図１４】本発明の実施の形態における検査レポートのツリーを示す模式図である。
【発明を実施するための形態】
【００１６】
以下、本発明の実施の形態について図面を参照して詳細に説明する。
【００１７】
［医療情報システムの全体構成］
図１は、本発明の実施の形態における医療情報システムＳの全体構成を示すブロック図である。医療情報システムＳは、ユーザが使用するクライアント端末１と、システム運営者が設置し、通信ネットワークＮを介してクライアント端末１から送信されるユーザからの検査レポートの作成要求に基づいて必要な医療情報を収集、加工し、検査レポートの作成、保存等を行うテナント型医療情報システム２と、テナント型医療情報システム２と通信ネットワークＮを介して接続され、アプリ提供者によって提供されるアプリケーションを備えるアプリケーションサーバ３（以下、明細書における表記及び図面の表記として「アプリサーバ３」と表わす）とを備える。
【００１８】
さらにこの実施の形態における医療情報システムＳには、通信ネットワークＮを介して、医療画像診断装置４と、管理サーバ５とが併せて接続されている。
【００１９】
クライアント端末１は、ユーザである、医師、或いは、技師によって使用される情報端末である。このクライアント端末１としては、例えば、ＰＣ（パーソナルコンピュータ）や、ＷＳ（診療ワークステーション）等が考えられる。また、クライアント端末１が携帯可能であることを否定するものではない。
【００２０】
さらに、クライアント端末１は、少なくともユーザの操作を受け付ける入力部と、各種処理を行うＣＰＵを備える処理部と、作成される検査レポート、その他の処理内容やユーザの要求に基づいてテナント型医療情報システム２によって収集された医療情報等を表示する表示部を備えている。
【００２１】
テナント型医療情報システム２は、ユーザがその利用を選択したアプリケーションを用いて生成、加工した医療画像を基に検査レポート作成を行う機能を果たす。また、ユーザが患者の診断、検査等において必要とする医療情報を、ユーザの要求に応じて収集しクライアント端末１の表示部に表示させる機能も果たす。ここで「医療情報」とは、カルテ等の文字情報、血液検査等の数値データや波形データ、Ｘ線ＣＴ装置のような医療画像診断装置が取得（撮影）する医療画像に関する情報、或いは検査レポート等の文字・画像混在情報等、を含む概念である。
【００２２】
テナント型医療情報システム２は、システム運営者が設けるもので、ユーザは当該システムを利用することで、必要とする各種アプリケーションを効率よく利用することができる。すなわち、テナント型医療情報システム２には利用することが可能な単数、または複数のアプリケーションが接続されており、ユーザはテナント型医療情報システム２を介してこれらのアプリケーションを利用、或いは必要に応じて入手し、必要な医療情報を取得することができる。この点、ユーザが医療情報の取得に当たって、個別にアプリケーションを探し出して利用するといった手間を省くことができる。
【００２３】
また、ユーザ自ら医療情報の収集を行う場合には、多くの場合、どうしても自らの思考（嗜好）に合った特定のアプリケーションを利用しがちであり、特に、新規なアプリケーションについては利用されにくいのが現状である。但し、本発明の実施の形態におけるテナント型医療情報システム２を利用することで、後述するように新規なアプリケーションを利用して作成され登録されている検査レポートを参照すること等が可能となるため、当該新規なアプリケーションであっても安心して利用することができる。併せて、特定のアプリケーションにその利用が集中することなく、適宜適切なアプリケーションが選択され、当該選択されたアプリケーションによる処理がなされた医療画像を取得することができる。
【００２４】
換言すれば、システム運営者が設けるテナント型医療情報システム２は、このシステム運営者が「大家」という位置付けにあり、一方、選択して利用されるアプリケーションを提供するアプリ提供者は、いわば「店子」の位置付けとなる。従って、大家（システム運営者）が設けるテナント型医療情報システム２内には店子（アプリ提供者）がアプリケーションを提供しており、この点を示して「テナント」と表わしている。ユーザは自分が要求する医療画像を取得するに当たって、テナントであるアプリ提供者が提供する各種アプリケーションを利用する。
【００２５】
図２は、本発明の実施の形態におけるテナント型医療情報システム２の内部構成を示すブロック図である。テナント型医療情報システム２は、本体部２Ａと画像管理部２Ｂの大きく２つの部分に分かれている。本体部２Ａは、ユーザによる検査レポートの作成等、ユーザからの要求を受け付けてユーザに必要な医療情報を生成して戻す機能を備えている。一方、画像管理部２Ｂは、医療画像診断装置４が取得した医療画像を保管、管理する。
【００２６】
本体部２Ａは、統合ビューア２１と、レポートデータベース２２と、レポート作成部２３と、シンクライアントマネージャ２４と、アプリケーション２５（アプリケーションＡ）と、課金エンジン２６と、課金データベース２７とから構成されている。また、画像管理部２Ｂは、画像情報マネージャ２８と、画像レポートデータベース２９とから構成されている。
【００２７】
なお、本体部２Ａの各部の内部構成、機能や働きについては、以下、ユーザが検査レポートを作成する流れに沿って別途説明する。また、テナント型医療情報システム２の統合ビューア２１の詳細な内部構成についても後述する。
【００２８】
画像管理部２Ｂを構成する画像情報マネージャ２８は、医療画像診断装置４によって取得される医療画像に関する情報を管理する。一方、画像レポートデータベース２９は、画像情報マネージャ２８を介して医療画像診断装置４から送られてきた医療画像を記憶する。また、アプリサーバ３に記憶されているアプリケーションを利用して加工、生成される医療画像についても記憶することとしても良い。
【００２９】
なお、テナント型医療情報システム２の設置場所については、図１に示す医療情報システムＳにおいて特に示されていない。従って、テナント型医療情報システム２は、医療機関内に設けられていても良く、或いは、クラウド・コンピューティング技術を用いて医療機関外に設けられていても良い。さらに、各医療機関ごとに設けられていても、或いは、複数の医療機関で共有していても良い。
【００３０】
アプリサーバ３は、アプリ提供者が提供するアプリケーションを記憶している。併せて、必要とされるアプリケーションを販売したり、ユーザによる検査レポートの作成要求に従って必要とされる医療画像を生成する。
【００３１】
より詳細には、ユーザがクライアント端末１を介してレポート作成要求をテナント型医療情報システム２に送信すると、テナント型医療情報システム２内において当該要求に基づいてレポートデータベースから検査レポートを作成する上で参照可能なレポートを検索表示させる。
【００３２】
さらに、検査レポートに貼付する医療画像の加工、生成に当たって利用されるアプリケーションが選択され、当該アプリケーションを備えるアプリサーバ３に対して、医療画像の加工、生成が依頼される。アプリサーバ３では要求に応じて医療画像を加工、生成し、改めてテナント型医療情報システム２に送信する。アプリサーバ３から生成された医療画像を受信したテナント型医療情報システム２では、この医療画像と検査レポートとを当該要求を出したユーザのクライアント端末１にまとめて（統合して）表示させる。
【００３３】
或いは、ユーザによって必要なアプリケーションが選択された場合に、当該アプリケーションの入手（購入）が行われる場合もある。この場合には、当該アプリケーションを備えるアプリサーバ３からアプリケーションがダウンロードされ、テナント型医療情報システム２にインストールされる。なお、アプリケーションのインストール先は、テナント型医療情報システム２に限らず、例えば、クライアント端末１、或いは、医療画像診断装置４であっても良い。
【００３４】
図３は、本発明の実施の形態におけるアプリサーバ３の内部構成を示すブロック図である。アプリサーバ３は、シンクライアントエンジン３１と、アプリケーション３２と、画像データベース３３とから構成される。
【００３５】
シンクライアントエンジン３１は、シンクライアントマネージャ２４から送信されたアプリケーションに関する情報を受信する。その上でアプリケーション３２の制御を行う。また、シンクライアントマネージャ２４から送信された医療画像に関する情報は、画像データベース３３に格納される。アプリケーション３２は、シンクライアントエンジン３１の制御の下、画像データベース３３に格納された医療画像に関する情報を基にユーザが検査レポートを作成する際に必要とする医療画像を加工、生成する。
【００３６】
なお、アプリサーバ３は、格納するアプリケーションごとに設けられていても良く、或いは、アプリ提供者ごとに設けられていても良い。後者の場合、１つのアプリサーバ３内に当該アプリ提供者が提供するアプリケーションが単数、或いは、複数含まれて（記憶されて）いる。
【００３７】
また、以下の説明、或いは、各図面において、適宜「アプリ」と表わされる場合があるが、この「アプリ」とは「アプリケーション」の略である。
【００３８】
医療画像診断装置４は、被検体を撮影してその内部情報を取得する医療画像取得（撮影）装置である。医療画像診断装置４としては、例えば、上述したようにＸ線ＣＴ装置や磁気共鳴診断装置等が該当する。医療画像診断装置４において取得された各撮影データは、テナント型医療情報システム２に送信されて、後述する画像管理部に格納（記憶）される。また、図１には示していないが、例えば、通信ネットワークＮに接続されている画像サーバ等に記憶されていても良い。
【００３９】
管理サーバ５は、例えば、医療機関内に構築されている、例えば、病院情報管理システム（ＨＩＳ：Hospital Information System）、放射線部門情報管理システム（ＲＩＳ：Radiological Information System）、医用画像管理システム（ＰＡＣＳ：Picture Archiving Communication System）等が該当する。なお、管理サーバ５に入力された各種情報は、併せてテナント型医療情報システム２にも送られ、ユーザからの要求に対処する際に用いられる。
【００４０】
なお、図１に示す医療情報システムＳでは、通信ネットワークＮに２つのクライアント端末１Ａと１Ｂ（以下、適宜これら複数のクライアント端末をまとめて「クライアント端末１」と表わす。）、アプリサーバ３Ａ及び３Ｂ（以下、適宜これらのアプリサーバをまとめて「アプリサーバ３」と表わす。）が接続されているが、通信ネットワークＮに接続されるクライアント端末１、或いは、アプリサーバ３の数は単数、或いは複数のいずれでも良く、その数は任意である。  また、医療画像診断装置４は、図１では１つのみ通信ネットワークＮに接続されているが、この医療画像診断装置４の数についても任意である。
【００４１】
通信ネットワークＮは、クライアント端末１、テナント型医療情報システム２、アプリサーバ３、医療画像診断装置４、及び管理サーバ５をそれぞれつなぎ、互いの間で、例えば医療情報のやりとりを可能とする。
【００４２】
通信ネットワークＮの例としては、ＬＡＮ（Local Area Network）やインターネット等の通信ネットワークを挙げることができる。また、この通信ネットワークＮで使用される通信規格は、ＤＩＣＯＭ（Digital Imaging and Communication in Medicine）等、いずれの規格であっても良い。
【００４３】
［テナント型医療情報システム（本体部）の構成］
上述したように、テナント型医療情報システム２の本体部２Ａは、統合ビューア２１と、レポートデータベース２２と、レポート作成部２３と、シンクライアントマネージャ２４と、アプリケーション２５（アプリケーションＡ）と、課金エンジン２６と、課金データベース２７とから構成されている。
【００４４】
統合ビューア２１は、ユーザからの検査レポート作成の要求があった場合に、過去作成された検査レポートを参照するためにレポートデータベース２２に登録されている検査レポートを検索する。併せて、検査レポートの対象となる医療画像の加工、生成を行う為のアプリケーションを入手、或いは、その利用を図り、作成された検査レポートの文章と医療画像との統合を図る。その上で、ユーザが使用するクライアント端末１に作成された検査レポートを表示させる。
【００４５】
図４は、本発明の実施の形態における統合ビューア２１の内部構成を示すブロック図である。統合ビューア２１は、受信部２１ａと、検索部２１ｂと、情報統合部２１ｃと、業務利用判定部２１ｄと、計測部２１ｅと、参照ツリー生成部２１ｉと、インストールボタン生成部２１ｇと、アプリインストール部２１ｈと、レポート登録部２１ｆと、レポート構文解析部２１ｊと、送信部２１ｋとから構成される。また、検索部２１ｂは、検査レポートが登録されているレポートデータベース２２に接続されている。
【００４６】
なお、統合ビューア２１の内部を構成する各部に関する機能や働きについては、本体部２Ａの各部と同様、以下、ユーザが検査レポートを作成する流れに沿って別途説明する。また、ここでは本発明の実施の形態を説明する上で必要な構成のみを示しており、テナント型医療情報システム２として機能するに必要とされる構成については当然備えられている。
【００４７】
さらに、統合ビューア２１自体は医療情報を統合的にユーザに提示するアプリケーションである。しかし、以下の説明に係る実施の形態においては、テナント型医療情報システム２に当該アプリケーションが読み込まれることによって統合ビューア２１が実装されることを前提とする。統合ビューアは、Ｗｅｂアプリケーション、ファットクライアントアプリケーション、或いは、シンクライアントアプリケーション等、いずれの実装形態を採用しても良い。一方、統合ビューアは医療情報を統合的にユーザに提示する回路としてテナント型医療情報システム２に設けられていても良い。
【００４８】
レポートデータベース２２には、作成された検査レポートが登録されている。レポート作成部２３は、ユーザによって検査レポートが作成される際に起動され、対象となる医療画像等を基に検査レポートの作成を司る。
【００４９】
シンクライアントマネージャ２４は、図１に示すアプリサーバ３に通信ネットワークＮを介して接続されている。ユーザが検査レポート作成に当たって必要とする医療画像の加工、生成を行うためのアプリケーションを入手してユーザが利用することができるようにテナント型医療情報システム２に取り込む。
【００５０】
アプリケーション２５（アプリケーションＡ）は、システム運営者が提供するアプリケーションの１つである。つまり、アプリ提供者がアプリケーションを提供するのと同じように、テナント型医療情報システム２を運営するシステム運営者が自ら提供するアプリケーションである。システム運営者が提供するアプリケーションであることから、アプリケーション２５（アプリケーションＡ）は、例えば、クライアント端末１に表示される基本的な画面設定に関するアプリケーション、或いは、画像管理部２Ｂに記憶、管理されている医療画像の処理を行うアプリケーションである。
【００５１】
なお、図２では、１つのアプリケーション２５（アプリケーションＡ）が統合ビューア２１に接続されているが、このようなアプリケーションがどのくらい統合ビューア２１に接続されている（テナント型医療情報システム２内に設けられている）かは自由である。
【００５２】
テナント型医療情報システム２には、アプリサーバ３が接続されている。上述したように、いくつのアプリサーバ３がテナント型医療情報システム２に接続されるかは、医療情報システムＳにアプリケーションを提供するアプリ提供者の数、或いは、提供されるアプリケーションの数によって増減する。図２においては、アプリケーションＢを提供するアプリサーバ３ＡとアプリケーションＣを提供するアプリサーバ３Ｂとがテナント型医療情報システム２に接続されている。
【００５３】
課金エンジン２６は、ユーザがテナント型医療情報システム２、或いは、アプリサーバ３に記憶されているアプリケーションを利用した際の利用料金等を算出する。課金エンジン２６に接続されている課金データベース２７は、ユーザの利用料金等の算出を行う際に基礎となる料金に関する情報が記憶されている。
【００５４】
図５は、本発明の実施の形態における課金エンジン２６の内部構成を示すブロック図である。課金エンジン２６は、情報を受信する受信部２６ａと、利用されたアプリケーションを確認するアプリ利用確認部２６ｂと、当該アプリケーションを利用するに当たって必要とされる基本の料金を検索する料金検索部２６ｃと、検索された基本料金を基に実際に掛かった料金を算出する料金算出部２６ｄと、算出された料金に関する情報をユーザのクライアント端末１に向けて送信する送信部２６ｅとから構成される。これら各部の詳しい働きについては、後述する課金の流れを説明する際に併せて説明する。
【００５５】
［ユーザによる検査レポートの作成の流れ］
図６は、本発明の実施の形態における検査レポートの作成の流れを示すフローチャートである。
【００５６】
まず、テナント型医療情報システム２の統合ビューア２１がクライアント端末１を操作するユーザから検索文字の入力を受信する（ＳＴ１）。この検索文字の入力が、検査レポート作成の要求に該当する。検査レポートを作成する際は、多くの場合検査レポートのテンプレートが利用されるとともに、既に作成されて登録されている検査レポートが参照される。ここで既に作成された検査レポート（以下、このような検査レポートを「参照レポート」と表わす。）を参照するのは、参照レポートに貼付されている読影の対象となった医療画像を確認するためである。検査レポートの性格からすれば、医療画像診断装置４が取得した医療画像の中から医師が患者を診察する際に最も利用価値のある医療画像を選択し、当該医療画像を基に検査レポートが作成されることが必要である。従って、検査レポートの作成に当たって読影の対象とされる患者、医療画像に適した医療画像を取得することが必須となるが、参照レポートには、その適した医療画像の例として適切な医療画像が貼付されている。そこで、検査レポートの作成に当たって参照レポートを参照する。
【００５７】
どのような検査レポートが参照レポートとして適しているか、すなわち、ユーザがどのような検査レポート、或いは、医療画像を見たいか（参照したいか）はユーザが最も良く理解している。従って、そのような参照レポートを検索するに適した検索文字をユーザが入力すると考えられることから、テナント型医療情報システム２では、ユーザが行う検索文字の入力を参照レポートの検索要求として受信する。
【００５８】
検索文字の入力を受けた統合ビューア２１では、検索部２１ｂがレポートデータベース２２にアクセスして検索文字が記載されている検査レポートを参照レポートをして検索する（ＳＴ２）。なお、図２においては「レポートデータベース２２」は「レポートＤＢ２２」と表わされている。レポートデータベース２２内には、ユーザによって作成された検査レポートが記憶されている。
【００５９】
図７ないし図９は、本発明の実施の形態におけるレポートデータベース２２内に格納されるテーブルの一例を示す説明図である。
【００６０】
図７は、レポートデータベース２２に登録されている検査レポートに関するテーブルの一例を示している。ここでは、例えば、「レポートＩＤ」、「レポートタイトル」、「検査ＩＤ」、「登録者ＩＤ」、「参照レポートＩＤ」、「被参照ポレートＩＤ」、「解析結果ＩＤ」、「所見」、「登録日時」といった項目が登録されている。なお、検査レポートに関してどのような項目を登録しておくかについては、任意に設定することができる。
【００６１】
「レポートＩＤ」は、登録される検査レポートに個々に付与されるＩＤである。「レポートタイトル」は、検査レポートのタイトルである。「検査ＩＤ」は、検査レポートの対象となる検査に対して付与されるＩＤであり、「登録者ＩＤ」は、検査レポートをレポートデータベース２２に登録した者に付与されているＩＤを示している。通常は「登録者」と検査レポートの作成者は一致するものと考えられることから、検査レポートの作成者を示すＩＤとも言える。
【００６２】
図８は、「登録者ＩＤ」をキーとしてレポートデータベース２２に記憶されている登録者に関する情報を示すテーブルである。本発明の実施の形態においては、「登録者ＩＤ」をキーにして、「登録者名」、「所属病院」、及び「診療科」が記憶されている。例えば、登録者ＩＤが「ｐ５００２７９８」である登録者（多くの場合、検査レポートの作成者）は、名前が「ｃｃｃ」であり、「□□病院」の「胸部心臓外科」に勤務していることがわかる。なお、「診療科」の項目については、例えば、作成者の専門を示すものであっても良い。また、ここでは４つの項目について登録されているが、登録される項目については任意に設定することが可能である。
【００６３】
「参照レポートＩＤ」とは、ユーザが検査レポートを作成する際に参照したレポートに付与されているＩＤを示している。一方、「被参照レポートＩＤ」は、当該検査レポートを参照して別の検査レポートが作成された場合に、当該作成された検査レポートのＩＤを示す。
【００６４】
すなわち、例えば、「レポートＩＤ」が「Ａ００１４５２」である「内臓脂肪ＣＴ検査報告書」という検査レポートについては、当該「Ａ００１４５２」の検査レポートを作成するに当たってユーザは「Ｔ００１４５９」のＩＤが付与されている検査レポートを参照している。一方、ユーザによって作成されてレポートデータベース２２に登録されているレポートＩＤが「Ｂ００１４５２」である検査レポートは、当該「Ａ００１４５２」の検査レポートを参照して作成されている。
【００６５】
これら「参照レポートＩＤ」及び「被参照レポートＩＤ」は、後述する参照ツリーの生成に当たって必要な情報となる。
【００６６】
「解析結果ＩＤ」は、検査レポートに貼付する医療画像に関する情報である。例えば、図７に示すテーブルでは、「解析結果ＩＤ」は「１２５７」と示されている。図９は、「解析結果ＩＤ」をキーとしてレポートデータベース２２に記憶されている解析結果ＩＤに関する情報が示されているテーブルである。このテーブルによると、解析結果ＩＤとして「１２５７」で示される解析結果については、使用される「臨床アプリ名」は「ＣｅＸＸ」であり、当該臨床アプリの価格は「１５０」と示されている。また、解析の対象となったデータは、「１２５．ＣＶＳ」というデータであることがわかる。
【００６７】
なお、テーブルの項目としてどのような項目を挙げるかについては、任意に設定することができる。また「臨床アプリ価格」の単位についても「円」、或いは「千円」と登録されるアプリの価格に従って設定することができる。
【００６８】
次に、検索部２１ｂがレポートデータベース２２内からユーザが入力した検索文字が載っている検査レポート（参照レポート）が検索されたか否かが判断される（ＳＴ３）。ここで検索文字に該当する文字が載っている検査レポートが検索されない場合には（ＳＴ３のＮＯ）、レポートデータベース２２に登録されている検査レポートを参照しての検査レポートの作成は終了する。
【００６９】
一方、検索部２１ｂにおいて参照レポートが検索された場合には（ＳＴ３のＹＥＳ）、次に統合ビューア２１において検索された参照レポートの、例えば、リストを作成し、ユーザの使用するクライアント端末１に表示させる（ＳＴ４）。
【００７０】
クライアント端末１に検索結果を表示させる場合には、統合ビューア２１における情報統合部２１ｃがリスト化する。検索結果として挙げられる参照レポートは単数、或いは、複数、いずれの場合も考えられるが、例えば、いずれの場合であってもリストを作成し表示させることとしても良い。また、リスト化は複数参照レポートが検索された場合に限って作成され、参照レポートが１つしか検索されなかった場合には、そのまま検索部２１ｂから検索結果がクライアント端末１へと送信されることとしても良い。
【００７１】
ユーザは、クライアント端末１に表示された参照レポートのリストに従って、検査レポートを作成するに当たって参考となる検査レポート、或いは、検査レポートに貼付されている医療画像を閲覧する。
【００７２】
さらにユーザが閲覧中、例えば、課金エンジン２６がユーザが参照している検査レポートの情報や参照レポートを参照した時間を確認する（ＳＴ５）。課金エンジン２６がユーザによる参照レポートの参照具合を確認するのは、ユーザが参照した検査レポートを作成した者に対して閲覧料、といったなにがしかの利用料金を支払うためである。
【００７３】
このように参照される検査レポートを作成した者に対しても利用料金が支払われるスキームを構築することで、自身が作成した検査レポートが参照されれば参照される程、利用料金が支払われることになる。従って、新たに検査レポートを作成するユーザにより多く参照してもらうためには、それだけ早く当該アプリケーションを利用してレポートデータベース２２に検査レポートを登録することが肝要となるため、新規なアプリケーションの早期の利用を促すことにつながる。
【００７４】
次に、ユーザがアプリケーションを利用するか否かが業務利用判定部２１ｄによって判断される。アプリケーションを利用しない場合（ＳＴ６のＮＯ）には、アプリケーションを利用することによって掛かる利用料金は発生しない。
【００７５】
一方、ユーザがアプリケーションを利用する場合には（ＳＴ６のＹＥＳ）、次に、ユーザがアプリケーションをインストールしたか否かが判断される（ＳＴ７）。
【００７６】
ここで、「アプリケーションの利用」としては、例えば、ユーザが利用を考えるアプリケーションを入手して利用する、入手しないで利用する、といった２つの態様が考えられる。前者の場合は、いわば利用しようとするアプリケーションをアプリ提供者から購入した上で利用する態様である。一方後者は、いわば利用しようとするアプリケーションをアプリ提供者からレンタルし、その使用の都度利用料金を支払う態様である。
【００７７】
そこで、まず前者、すなわち、ユーザが利用しようとするアプリケーションをアプリ提供者から購入（インストール）した場合について説明する（ＳＴ７のＹＥＳ）。
【００７８】
後述するように、参照レポートに貼付されている医療画像には、当該医療画像が生成されるに利用されたアプリケーションをダウンロードするためのリンクが張られている。或いは、医療画像の付近に当該アプリケーションをインストールするためのボタンが設けられている。従って、参照レポートを閲覧しているユーザが参照レポートに貼付されている医療画像を確認し、自身が検査レポートを作成するに当たってこの参照レポートに貼付されている医療画像と同様の医療画像の加工、生成を求める場合には、例えば、当該医療画像をクリックしてアプリケーションをダウンロード（インストール）する。
【００７９】
ユーザからのアプリケーションのインストール要求を受領した統合ビューア２１では、シンクライアントマネージャ２４を介して、ユーザが要求するアプリケーションを備えるアプリサーバ３へとアクセスし、該当のアプリケーションを取得する。これによって、ユーザはテナント型医療情報システム２上で検査レポートの作成を行うことが可能となる。なお、ユーザがアプリケーションをインストールしたか否かについての情報は、統合ビューア２１内の業務利用判定部２１ｄに入力される。
【００８０】
一方、ユーザが参照レポートを閲覧した結果、アプリケーションをインストールしない場合も考えられる（ＳＴ７のＮＯ）。この場合、業務利用判定部２１ｄは、ユーザが閲覧している間に、何らかの課金の対象となる行為が行われたか否か判断する（ＳＴ８）。
【００８１】
これは、例えば、必要とする医療画像を得るために当該アプリケーションを入手（インストール）しないまでも、アプリサーバ３に対して当該アプリケーションを利用して所望の医療画像の加工、生成を行わせる行為であると考えられる。ユーザとしては、今後も継続して当該アプリケーションを利用することが明白であるならば、１回１回アプリケーションを利用料金を支払って利用するよりも上述したように当該アプリケーションを購入して利用する方が得な場合も考えられる。
【００８２】
換言すれば、普段利用しないアプリケーションを購入する必要はないとも言え、このような場合には利用するアプリケーションを購入することなく利用料金を支払って利用することでコストを削減しつつ必要な医療画像を入手することができる。
【００８３】
この場合、ユーザからのアプリケーションの利用要求を受領した統合ビューア２１は、シンクライアントマネージャ２４を介して、ユーザがその利用を要求するアプリケーションを備えるアプリサーバ３へとアクセスする。統合ビューア２１からのアクセスがあるとシンクライアントエンジン３１は、画像データベース３３から基となる医療画像を入手しアプリケーション３２に対して所望の医療画像が得られるように加工、生成を行わせる。生成された医療画像は、再度シンクライアントマネージャ２４を介して統合ビューア２１へと返信される。統合ビューア２１では、受信した医療画像をレポート作成部２３で作成されるレポートに貼付して検査レポートを完成させる。
【００８４】
またこの他、課金の対象となる行為として、例えば、解析結果をハードコピーし、ペイント機能を利用して保存する行為、解析結果を表示する画面を所定の時間以上表示させている行為、或いは、参照レポートをユーザが利用するクライアント端末１に保存する行為、等が考えられる。
【００８５】
その上で、業務利用判定部２１ｄによって、ユーザのアプリケーションの利用が業務での利用に該当するか否かが判断される（ＳＴ９）。業務利用判定部２１ｄによる判定は、ユーザによる参照レポートや当該参照レポートに貼付されている医療画像の加工、生成に利用されるアプリケーションの無断利用を排除するとともに、ユーザの閲覧が課金を必要としない行為であるか否かを判定して適切な課金を行うためである。
【００８６】
なお、業務利用判定部２１ｄの判定の材料として、上述したように例えば、解析結果を表示する画面を所定の時間以上表示させている行為を挙げることができるが、この場合における所定の時間の計測は、計測部２１ｅによって行われ、計測結果が業務利用判定部２１ｄへと送信される。従って、ユーザが参照レポートの閲覧を開始したことの情報は、適宜計測部２１ｅへと送られ、自動的に閲覧時間の計測を行う。
【００８７】
業務利用判定部２１ｄは、ユーザの参照レポートの閲覧行為を判定し、課金の対象となる行為については、当該行為に関する情報を課金エンジン２６へと送信する（ＳＴ１０）。一方で、所望の医療画像を入手したユーザは当該医療画像を基に検査レポートを作成する。
【００８８】
［ユーザへの課金等、利用料金の算出、決定について］
課金エンジン２６は、ユーザがアプリケーションを利用した場合に、その利用量に応じて課金し、ユーザに請求する利用料金を算出する。利用料金は、利用量ごとはもちろん、例えば、アプリケーションごと、アプリ提供者ごとにもそれぞれ設定されている。これらアプリケーションの利用料金に関する情報は、課金データベース２７に予め記憶されている。
【００８９】
課金エンジン２６は、統合ビューア２１（業務利用判定部２１ｄ）から課金が必要とされる行為に関する情報やアプリケーションの利用の開始、終了等に関する情報を得て、課金データベース２７からアプリケーションの利用料金に関する情報を基にユーザのアプリケーション利用料金を算出する。
【００９０】
具体的には、業務利用判定部２１ｄから情報を受信した課金エンジン２６は、料金検索部２６ｃにて課金データベース２７から該当する行為に関する料金の情報を検索、取得するとともに、アプリ利用確認部２６ｂを介して料金算出部２６ｄへと送信する。料金算出部２６ｄでは、集まった情報を基に、ユーザが検査レポートを作成するに当たってアプリケーションの利用料金を算出する。算出された料金は、統合ビューア２１を介してクライアント端末１に表示される。
【００９１】
なお、ユーザがアプリケーションを利用しない場合（ＳＴ６のＮＯ）、およびその他課金の対象となる行為もない場合には（ＳＴ８のＮＯ）、ユーザに対して利用料金を課すことはない。
【００９２】
本発明の実施の形態においては、ユーザに対して参照レポートやアプリケーションの利用料金を請求するだけではなく、参照される検査レポート（参照レポート）を作成したユーザに対して報奨金（以下この報奨金について「レポート貢献費」と表わす）を支払うこととしている。この仕組みは、参照に値する検査レポートを早期に作成しレポートデータベース２２に登録したユーザに対してレポート貢献費というインセンティブを与えることによって、新規なアプリケーションを早期に利用してもらい、もって当該アプリケーションの普及促進に役立てる役割がある。
【００９３】
すなわち、新規なアプリケーションを開発したアプリ提供者がユーザのアプリケーションの利用、或いは、購入によって得られた利益の中から、当該アプリケーションを利用する基となった、すなわち、ユーザを当該アプリケーションの利用に導いてくれた参照レポートを作成した者に対してレポート貢献費を支払う。
【００９４】
図１０は、本発明の実施の形態における課金方法を説明するためのグラフである。横軸に「アプリ売上高」が示されており、縦軸に「費用」が示されている。ここで「費用」とは、アプリ提供者がユーザにアプリケーションを提供するに当たって掛かる費用、特に他者に支払いを必要とする費用である。
【００９５】
また、ｆ（ｘ）は、アプリ提供者がテナント型医療情報システム２を利用する場合の利用費を算出するために設定される式である。一方ｇ（ｘ）は、参照レポートを作成したユーザに対して支払われるレポート貢献費を算出するための式である。
【００９６】
なお、２つの式、ｆ（ｘ）、ｇ（ｘ）はシステム提供者によって任意に設定することが可能である。システム提供者は、自ら提供するテナント型医療情報システム２にどれだけのアプリ提供者がアプリケーションを提供し、或いは、どれだけのユーザが、例えば、検査レポートの作成に当たって利用してくれるかを勘案しながら２つの式を設定する。また、アプリ提供者はシステム提供者との間で上述の２つの式によるシステム利用料の支払いについて合意の上、テナント型医療情報システム２に参加することになる。
【００９７】
但し、ｆ（ｘ）＞ｇ（ｘ）となるように設定されるべきである。アプリ提供者がシステム提供者に支払う利用料よりも参照レポートを作成したユーザに対して支払われるレポート貢献費の方が高いと、アプリ提供者が継続してテナント型医療情報システム２に対して新規なアプリケーションを提供することができなくなると考えられるからである。
【００９８】
実際の課金処理は、例えば、以下のように行われる。すなわち、まず予め定められている精算日が到来すると、上述したように課金エンジン２６が課金データベース２７内に記憶されているアプリケーションに関する情報を基に当該アプリケーションの売上高を算出する。
【００９９】
図１１は、本発明の実施の形態における課金データベース２７内に格納されるテーブルの一例を示す説明図である。ここでは、ユーザに提供される各アプリケーションに関する情報がテーブルにまとめられている。図１１に示すテーブルでは、左より「ベンダーＩＤ」、「ベンダー名」、「アプリＩＤ」、「アプリ価格」、「販売数量」、「売上高」、「利益」といった項目が並んでおり、これらが課金データベース２７に記憶されている。なお、どのような項目を記憶させるかについては任意に設定することが可能である。
【０１００】
課金エンジン２６は、予め設定されている精算日にアプリケーションごとの「売上高」を「アプリ価格」と「販売数量」とを乗じることで算出する。
【０１０１】
一方で、統合ビューア２１内の業務利用判定部２１ｄから、計測部２１ｅにて計測された参照レポートの被参照数に関する情報を入手する。例えば、ユーザが検査レポートを作成に当たって１つの参照レポートを参照した場合には、当該参照レポートに関する被参照数は「１」となる。さらに当該参照レポートが参照している検査レポートが存在する場合に、この検査レポートまで参照した場合には、被参照数は「２」となる。すなわち、この「被参照数」は、検査レポートの作成に当たってどのくらい当該アプリケーションが利用されたかを示している。
【０１０２】
なお、参照レポートを作成した者（ユーザ）に対する「レポート貢献費」については、参照レポートごとに被参照数がカウントされることになる。従って、上述した例で言えば、ユーザが検査レポートを作成に当たって１つの参照レポートを参照した場合には、当該参照レポートに関する被参照数は「１」となる。さらに当該参照レポートが参照している検査レポートが存在する場合に、この検査レポートまで参照した場合も被参照数は「１」となる。これはレポート貢献費の支払いに当たっては、参照された検査レポートごとに参照の件数が加算されるからであり、もし当該参照レポートの作成者とこの検査レポートの作成者が同一である場合には、それぞれの検査レポートに関して参照されていることからこの作成者に対しては２つの（２件分の）レポート貢献費が支払われることになる。
【０１０３】
レポート貢献費として参照された検査レポートを作成した者に支払われる金額の総額は、図１０に示すグラフからすると、アプリの売上高と式ｇ（ｘ）との交点で表わされる金額であることがわかる（図１０では「５０万円」である）。この金額を、参照された数（被参照数）で除した金額が参照レポート１件当たりのレポート貢献費となる。
【０１０４】
従って、このように１件当たりのレポート貢献費が算出された場合、被参照数が多い参照レポートを作成した者にはそれだけ多くのレポート貢献費が支払われることになる。なお、ここでは単純に被参照数で除した例を挙げたが、例えば、事前に参照レポートごとにその重み付けを行っておき、当該重み付けに従ってレポート貢献費を算出することも可能である。
【０１０５】
図１０に示すグラフを基にすると、例えば、アプリケーションの売上高が１０００万円であったアプリ提供者は、そのうち２００万円が当該アプリケーションを売り上げるに掛かった費用であり、当該金額をアプリ提供者がシステム運営者に対して支払う（式ｆ（ｘ））。さらに参照レポートを作成したユーザへのレポート貢献費として別途５０万円支払う（式ｇ（ｘ））。従って、実際の利益は７５０万円である。
【０１０６】
なお、２００万円が当該アプリケーションを売り上げるに掛かった費用であり、当該費用のうち５０万円をレポート貢献費として参照レポートを作成したユーザへと還元し、実際のアプリ提供者の利益を８００万円とすることもできる。これはアプリ提供者とシステム運営者との契約によって自由に設定することができる。
【０１０７】
図１２は、参照レポートとして参照された検査レポートを作成したユーザに支払われるレポート貢献費に関するテーブルである。ここでは、「登録者ＩＤ」、「合計金額」、「レポート貢献費」、「支払月」の４つの項目が挙げられている。例えば、登録者ＩＤが「ｐ５００２７９６」であるユーザには、「２０１１年８月１日」にレポート貢献費として「３０，２５４円」支払われており、これまで支払われたレポート貢献費の合計金額は「１２５，４８２円」となることが理解できる。他の登録者ＩＤをもつユーザよりも「ｐ５００２７９６」であるユーザは、「レポート貢献費」及び「合計金額」のいずれも、高い金額を示しており、このことはすなわち、「ｐ５００２７９６」であるユーザが作成した検査レポートは頻繁に参照されることがわかる。
【０１０８】
［ユーザによる検査レポートの保存の流れ］
次に作成された検査レポートのレポートデータベース２２への登録の手順について説明する。図１３は、本発明の実施の形態における検査レポートの登録の流れを示すフローチャートである。
【０１０９】
まずユーザは入手したアプリケーションを用いて検査レポートの対象となる医療画像を解析（加工、生成）する（ＳＴ２１）。その上で、ユーザは解析された医療画像を基に検査レポートを作成する（ＳＴ２２）。
【０１１０】
作成された検査レポートについては、本発明の実施の形態においては、登録の有無を選択することができるようにされている（ＳＴ２３）。但し、例えば、作成された検査レポートについては必ずレポートデータベース２２に登録するとの取り扱いも可能である。
【０１１１】
ユーザが作成した検査レポートを登録する場合には（ＳＴ２３のＹＥＳ）、クライアント端末１上に表示されている、例えば、登録ボタン等をクリックすることで登録処理が開始される。なお、どのように検査レポートの登録処理を開始するかについては、様々な設定が考えられるが、それぞれの医療情報システムＳにおいて適切な処理方法が採択される。
【０１１２】
ユーザの指示に基づき作成された検査レポートの登録処理が開始されると、レポート登録部２１ｆ（図３参照）において検査レポートごとに固有の検査レポートＩＤが付与される（ＳＴ２４）。この検査レポートＩＤは、例えば、図７のレポートデータベース２２内のテーブルに示される「レポートＩＤ」に該当する。
【０１１３】
さらに、登録の対象となる検査レポートに貼付されている医療画像を加工、生成するために用いたアプリケーションを、次に当該検査レポートを参照したユーザが当該検査レポートの表示画面を閉じることなく直接インストールすることができるようにするため、インストールボタン生成部２１ｇが、このアプリケーションのインストールボタンを作成する（ＳＴ２５）。
【０１１４】
なお、ここではアプリケーションのインストールのためのインストールボタンを生成したが、例えば、利用されたアプリケーションへのリンクを張ることで当該アプリケーションをダウンロードすることができるように設定しても良い。
【０１１５】
その上で、レポート登録部２１ｆは、レポートデータベース２２に検査レポートを登録する。また併せて、登録の対象となる検査レポートに関する各種登録項目が自動でレポートデータベース２２に格納され、図７に示すようなテーブルとして登録される。
【０１１６】
さらに、参照ツリー生成部２１ｉは、レポートデータベース２２に登録された検査レポートについて、当該検査レポートを作成するに当たって参照した検査レポート、或いは、当該検査レポートを参照して作成された検査レポート等との関係、すなわち、参照、被参照の関係をツリー状に表わした参照ツリーを生成する（ＳＴ２７）。
【０１１７】
図１４は、本発明の実施の形態における検査レポートのツリーを示す模式図である。参照ツリーは、上から下に向けて検査レポートの作成順に時系列に並べられている。図１４では、例えば、最も高い位置に位置づけられる検査レポートＩＤ「１０００」で示される検査レポートがアプリケーションのリリース最初期に当該アプリケーションを利用して作成されたことを示している。一方、一番下に位置する検査レポートＩＤ「１３０６」で示される検査レポートが当該アプリケーションを利用して直近に作成された検査レポートであることを示している。
【０１１８】
さらに、例えば検査レポートＩＤ「１０００」で示される検査レポートと検査レポートＩＤ「１００３」で示される検査レポートは、実際に作成された時期は異なるかもしれないが、世代としては同じ世代であると把握される。例えば、これらの検査レポートについては、参照レポートとして利用されることはあってもこれらの検査レポートを作成するに当たって参照するレポートはなかったことが参照レポートツリーから把握できる。すなわち、仮にこれらの検査レポートの世代を第１世代とすると、第１世代の検査レポートは、参照レポートを参照することなくアプリケーションを利用して独自に作成されたことになる。
【０１１９】
従って、最も直近に作成された検査レポートであっても、既に登録されている検査レポートのいずれも参照することなく作成された場合には、第１世代の検査レポートとして参照ツリーに表わされることになる。
【０１２０】
また、図１４の参照ツリーをみると、第３世代に属する検査レポートＩＤ「１２０６」で示される検査レポートは、「１１０２」の検査レポートと「１１０６」の検査レポートを参照レポートとして利用して作成されたことが理解できる。一方で、「１２０６」の検査レポートは、「１３０６」及び「１３０８」の両検査レポートの作成に当たって参照されている。
【０１２１】
一方、「１２０６」の検査レポートと同じ第３世代に属する検査レポートは、その他「１２０１」の検査レポート、「１２１０」の検査レポート、及び「１２２１」の検査レポートがレポートデータベース２２に登録されている。但し、これら３つの検査レポートについては、それぞれ参照した検査レポートはあるものの、いずれもまだ参照される検査レポート（被参照レポート）とはなっていない。
【０１２２】
このようにレポートデータベース２２に登録された検査レポートを参照、被参照の関係を把握し参照ツリーに表わすことによって、検査レポート同士の参照、被参照の関係が一目瞭然となる。
【０１２３】
なお、検査レポートの参照ツリーが生成された後、レポート構文解析部２１ｊは、登録された検査レポートを構文解析して、キーとなる語句を把握する（ＳＴ２８）。またこのようにして把握された語句を検査レポートごとにまとめておくことで、ユーザが参照レポートを検索する際に迅速な検索を実現する上で有用である。
【０１２４】
以上説明した通りの構成を採用し、検査レポートの作成の手順を採ることで、ユーザのアプリケーションの利用態様に応じた柔軟な料金設定とすることで、アプリケーションの普及利用を促進し、ユーザの利便性の向上、アプリ提供者の開発意欲の向上、及びシステム運営者による魅力的なシステム運営を図ることが可能な医療情報システムを提供することが可能となる。
【０１２５】
特に、ユーザが検査レポートを作成するに当たってレポートデータベースに登録されている検査レポートを参照した場合に、参照した検査レポートを作成したユーザに対してレポート貢献費を支払うことで、検査レポートを早期に作成し、登録しようとするインセンティブが与えられる。このことは、新規なアプリケーションが開発された場合に、より早い段階で当該新規アプリケーションを利用するユーザを生み出すことにつながり、新規アプリケーションの普及促進に資するものである。
【０１２６】
また、新規アプリケーションをユーザに利用してもらえるアプリ提供者にとっては、次の新たなアプリケーションの開発に対するモチベーションを与えられることになるため、様々な有用なアプリケーションの開発に弾みがつくことになる。
【０１２７】
さらにシステム運営者にしてみれば、アプリ提供者が次々とアプリケーションを開発し、ユーザがそれらのアプリケーションを利用することによって、設置するテナント型医療情報システムに対する顧客満足度を上げることができ、システムへのさらなる参加者を呼び込むことにもつながり、活気のあるシステムを提供することができることになる。
【０１２８】
本発明の実施形態を説明したが、この実施形態は、例として提示したものであり、発明の範囲を限定することを意図していない。この実施形態は、その他の様々な形態で実施されることが可能であり、発明の要旨を逸脱しない範囲で、種々の省略、置き換え、変更を行うことができる。例えば、これまでは、ユーザのしようするクライアント端末、システム運営者が設置するテナント型医療情報システム、アプリ提供者が参加するアプリサーバからなる医療情報システムを基に説明を行ってきたが、例えば、テナント型医療情報システムの機能をクライアント端末内に設けることで上述した各機能を果たすことができるようにしても良い。
【０１２９】
この実施形態やその変形は、発明の範囲や要旨に含まれると共に、特許請求の範囲に記載された発明とその均等の範囲に含まれる。
【符号の説明】
【０１３０】
１    クライアント端末
２    テナント型医療情報システム
３    アプリサーバ
４    医療画像診断装置
５    管理サーバ
２１    統合ビューア
２２    レポートデータベース
２３    レポート作成部
２４    シンクライアントマネージャ
２５    アプリケーションＡ
２６    課金エンジン
２７    課金データベース
２８    画像情報マネージャ
２９    画像レポートデータベース
Ｓ    医療情報システム
【図１】
2015114711.tif 000003
【図２】
2015114711.tif 000004
【図３】
2015114711.tif 000005
【図４】
2015114711.tif 000006
【図５】
2015114711.tif 000007
【図６】
2015114711.tif 000008
【図７】
2015114711.tif 000009
【図８】
2015114711.tif 000010
【図９】
2015114711.tif 000011
【図１０】
2015114711.tif 000012
【図１１】
2015114711.tif 000013
【図１２】
2015114711.tif 000014
【図１３】
2015114711.tif 000015
【図１４】
2015114711.tif 000016